(57)【要約】【課題】ヒンジ部が外側に露出せずに意匠性が向上するとともに、簡単な構造で、操作パネルの保守作業がかご室内よりできるエレベータかご操作盤を得る。【解決手段】枠体４ｂを巾方向に延長し、ヒンジ６を枠体４ｂの内部に収納したことにより、ヒンジを覆うカバー等の特別な部材を別途設けることなく、ヒンジ部分が露出しない構造を得ることができ、昇降路壁８が透過材であっても、裏面部分（かごの外観）の意匠性を向上させることができ、また、操作パネル３ｂを開放状態にすれば、かご室内からヒンジ６のヒンジピンや取付ボルト及びナット１０ｂにアクセスでき、操作パネル３ｂの位置調整や交換作業をかご室内から簡単かつ安全に行うことができる。【選択図】図２
2009280354.tif 000002
【特許請求の範囲】
【請求項１】
エレベータかご内に配置されるエレベータかご操作盤において、
第１の側面板と、前記第１の側面板と対向する第２の側面板と、前記第１の側面板と前記第２の側面板との間の背面板とを有し、前記第１の側面板の面のうち前記第２の側面板と対向する面を内面とする収納枠体と、
断面が略コの字形状であり、コの字の上端の位置にヒンジピンを通すためのピン穴を有し、コの字の底辺に相当する部位を前記収納枠体への取付け部とする枠体側ヒンジと、
ヒンジピンを通すためのピン穴を有する表面板側ヒンジが一方の端部に取付けられている表面板とを備え、
前記枠体側ヒンジのコの字における縦辺に相当する部位が前記収納枠体の背面板に対向する向きで前記枠体側ヒンジの取付け部が前記収納枠体の第１の側面板の内面に取付けられ、ピン穴が前記枠体側ヒンジのピン穴と一致する位置に前記表面板側ヒンジが配置され、前記枠体側ヒンジのピン穴と前記表面板側ヒンジのピン穴にヒンジピンが通されて前記表面板が前記収納枠体の前面においてヒンジピンを中心に回動することを特徴とするエレベータかご操作盤。
【請求項２】
前記表面板側ヒンジは、前記枠体側ヒンジの上方及び下方の少なくともいずれかに配置されることを特徴とする請求項１に記載のエレベータかご操作盤。
【請求項３】
前記表面板がヒンジピンを中心に回動して開状態となった際に前記収納枠体の前面の開口から前記枠体側ヒンジのピン穴及び前記表面板側ヒンジのピン穴に通されているヒンジピンにアクセス可能な位置に前記枠体側ヒンジ及び前記表面板側ヒンジが配置されていることを特徴とする請求項１又は２に記載のエレベータかご操作盤。
【請求項４】
前記表面板が前記収納枠体の前面を覆っている閉状態の際に前記収納枠体の背面板に対向する前記表面板の面を内面とし、
前記表面板側ヒンジは、前記表面板の内面に取付けられていることを特徴とする請求項１〜３のいずれかに記載のエレベータかご操作盤。
【請求項５】
前記表面板側ヒンジは、所定の取付け具により前記表面板の内面に取付けられており、
前記表面板がヒンジピンを中心に回動して開状態となった際に前記収納枠体の前面の開口から前記取付け具にアクセス可能な位置に前記表面板側ヒンジが配置されていることを特徴とする請求項４に記載のエレベータかご操作盤。
【請求項６】
前記収納枠体は、
エレベータかごのかご壁に所定の取付け具により取付けられていることを特徴とする請求項１〜５のいずれかに記載のエレベータかご操作盤。
【請求項７】
前記第１の側面板の一端は前記背面板に連結し、他端は開放端となっており、
前記第１の側面板の開放端が前記かご壁の背部まで延在し、前記第１の側面板の開放端と前記かご壁の背部において前記取付け具により前記収納枠体と前記かご壁とが取付けられていることを特徴とする請求項６に記載のエレベータかご操作盤。
【請求項８】
請求項１〜７のいずれかに記載のエレベータかご操作盤を備えることを特徴とするエレベータ装置。
【発明の詳細な説明】
【技術分野】
【０００１】
本発明は、エレベータかご室に設けられるエレベータかご操作盤に関する。
【背景技術】
【０００２】
エレベータかご室内には、ドアの近傍にエレベータかご操作盤が配置されている。
エレベータかご操作盤の従来の構造として、例えば、特許文献１に開示の構造がある。
【０００３】
特許文献１のエレベータかご操作盤は、エレベータかご室の一部を形成する収納枠体（以下、枠体ともいう）と、枠体に開閉可能となる様に取付けられる表面板たる操作パネルを構成要素とし、操作パネルが、枠体の外部に配置されるヒンジにより回動可能なように枠体に取付けられている（外ヒンジ構造）。
【特許文献１】特開２００２−２４１０５９号公報
【発明の開示】
【発明が解決しようとする課題】
【０００４】
従来の操作パネルの開閉機構には外ヒンジ構造が用いられている。
外ヒンジ構造では、ヒンジ部分が枠体の外部にあるため、ヒンジ部分は枠体に包囲されておらず、ヒンジ部分が露出してしまう。このため、昇降路壁にガラス等の透過材を使用した場合は、意匠性を損なうという課題がある。
また、枠体の外部にヒンジが配置されているため、かご室内からヒンジにアクセスすることができず、操作パネルを取付ける際の位置調整や交換作業が困難であるという課題がある。
【０００５】
この発明は、上記のような課題を解決することを主な目的の一つとしており、ヒンジ部が外側に露出せずに意匠性が向上するとともに、簡単な構造で、操作パネルの取付作業、保守作業がかご室内よりできるエレベータかご操作盤を得ることを主な目的とする。
【課題を解決するための手段】
【０００６】
本発明に係るエレベータかご操作盤は、
エレベータかご内に配置されるエレベータかご操作盤において、
第１の側面板と、前記第１の側面板と対向する第２の側面板と、前記第１の側面板と前記第２の側面板との間の背面板とを有し、前記第１の側面板の面のうち前記第２の側面板と対向する面を内面とする収納枠体と、
断面が略コの字形状であり、コの字の上端の位置にヒンジピンを通すためのピン穴を有し、コの字の底辺に相当する部位を前記収納枠体への取付け部とする枠体側ヒンジと、
ヒンジピンを通すためのピン穴を有する表面板側ヒンジが一方の端部に取付けられている表面板とを備え、
前記枠体側ヒンジのコの字における縦辺に相当する部位が前記収納枠体の背面板に対向する向きで前記枠体側ヒンジの取付け部が前記収納枠体の第１の側面板の内面に取付けられ、ピン穴が前記枠体側ヒンジのピン穴と一致する位置に前記表面板側ヒンジが配置され、前記枠体側ヒンジのピン穴と前記表面板側ヒンジのピン穴にヒンジピンが通されて前記表面板が前記収納枠体の前面においてヒンジピンを中心に回動することを特徴とする。
【発明の効果】
【０００７】
本発明によれば、枠体側ヒンジと表面板側ヒンジを収納枠体の内側に収納することができ、ヒンジを覆うカバー等の特別な部材を別途設けることなく、ヒンジ部分が露出しない構造を得ることができ、エレベータかごの外観の意匠性を向上させることができ、また、表面板を開状態にすれば、かご室内からヒンジピンや取付け具にアクセスでき、表面板の位置調整や交換作業をかご室内から簡単かつ安全に行うことができる。
【発明を実施するための最良の形態】
【０００８】
実施の形態１．
図１は、本実施の形態に係るエレベータかご室内部の出入り口付近の斜視図である。
図１において、エレベータかご室１（以下、かご室ともいう）内には、ドア２の近傍にエレベータかご操作盤３（以下、かご操作盤又は操作盤ともいう）が配置されている。
図２は、本実施の形態に係るエレベータかご操作盤３の構造を示し、図１のＸ−Ｘ断面図である。
【０００９】
図２において、４ｂはエレベータかご室１の一部を形成する収納枠体（以下、枠体ともいう）であり、３ｂは枠体４ｂに開閉可能となる様に取付けられる表面板たる操作パネルである。
また、枠体４ｂにおいて、４１は第１の側面板であり、４２は第２の側面板である。
第２の側面板４２は、第１の側面板４１に対向する。
また、４３は、第１の側面板４１及び第２の側面板４２の間に存在する背面板である。
枠体４ｂにおいて、操作パネル３ｂが開閉する面を前面とする。操作パネル３ｂが開いた状態では、枠体４ｂの前面は開口することになる。
【００１０】
また、６はヒンジである。ヒンジ６は、枠体４ａの内部に収納される。
このように、本実施の形態に係る操作パネル３ｂは、枠体４ａの内部に配置されるヒンジ６により回動可能なように枠体４ｂに取付けられている。
また、ヒンジ６は後述するように、枠体側ヒンジ６ａと表面板側ヒンジ６ｂからなる。
１０ａは後述する枠体側ヒンジ６ａの取付けのための取付ボルト及びナットであり、１０ｂは後述する表面板側ヒンジ６ｂの取付けのための取付ボルト及びナットである。
１０ｃは、枠体４ｂの第１の側面板４１とかご壁９とを取付けるための取付ボルト及びナットである。
また、７は昇降路枠、８は昇降路壁、９はかご壁である。
【００１１】
図３は、図２の矢視Ｙのヒンジ６の斜視図であり、操作パネル３ｂを開放した状態を示す。
そして、図３（ａ）は、枠体側ヒンジ６ａと表面板側ヒンジ６ｂとがヒンジピン６ｃにより結合された状態を示し、図３（ｂ）は、枠体側ヒンジ６ａ、表面板側ヒンジ６ｂ及びヒンジピン６ｃが分離している状態を示す。
【００１２】
図３に示すように、枠体側ヒンジ６ａは、断面が略コの字形状であり、コの字の上端の位置にヒンジピン６ｃを通すためのピン穴を有し、コの字の底辺に相当する部位を収納枠体４ｂへの取付け部としている。
そして、枠体側ヒンジ６ａのコの字における縦辺に相当する部位が収納枠体４ｂの背面板４３に対向する向きで枠体側ヒンジ６ａの取付け部が取付ボルト及びナット１０ａにより収納枠体４ｂの第１の側面板４１の内面に取付けられている。第１の側面板４１の内面とは、第１の側面板４１の面のうち第２の側面板４２に対向する面である。
また、表面板側ヒンジ６ｂにも、ヒンジピン６ｃを通すためのピン穴が設けられ、表面板側ヒンジ６ｂは、取付ボルト及びナット１０ｂにより操作パネル３ｂの内面において一方の端部に取付けられている。操作パネル３ｂの内面とは、操作パネル３ｂが収納枠体４ｂの前面を覆っている閉状態の際に収納枠体４ｂの背面板４３に対向する面である。
そして、表面板側ヒンジ６ｂは、ピン穴が枠体側ヒンジ６ａのピン穴と一致する位置に配置され、枠体側ヒンジ６ａのピン穴と表面板側ヒンジ６ａのピン穴にヒンジピン６ｃが通されて操作パネル３ｂが収納枠体４ｂの前面においてヒンジピン６ｃを中心に回動する。
【００１３】
また、表面板側ヒンジ６ｂは、図３に示すように枠体側ヒンジ６ａの上方に配置してもよいし、枠体側ヒンジ６ａの下方に配置してもよい。更には、上下２ヶ所に設けてもよい。
【００１４】
また、操作パネル３ｂが開状態（図３（ａ）に示す状態）となった際に枠体４ｂの前面の開口から枠体側ヒンジ６ａのピン穴及び表面板側ヒンジ６ｂのピン穴に通されているヒンジピン６ｃにアクセス可能な位置に枠体側ヒンジ６ａ及び表面板側ヒンジ６ｂが配置されている。
また、同様に、操作パネル３ｂが開状態となった際に枠体４ｂの前面の開口から取付ボルト及びナット１０ｂにアクセス可能な位置に枠体側ヒンジ６ａ及び表面板側ヒンジ６ｂが配置されている。
このため、操作パネル３ｂを開状態にすれば、ヒンジピン６ｃをかご室内から抜き取ることが可能であり、操作パネル３ｂの交換がかご室内からできる。
また、操作パネル３ｂを開状態にすれば、取付ボルトにかご室内からアクセスでき、かご室内から操作パネル３ｂの取付位置の調整が可能である。
【００１５】
本実施の形態に係るエレベータかご操作盤３は、図２のように枠体４ｂを巾方向に延長し、ヒンジ６を枠体４ｂの内部に収納する事により、ヒンジを覆うカバー等の特別な部材を別途設けることなく、ヒンジ部分が露出しない構造を得ることができ、裏面部分（かごの外観）の意匠性を向上させることができる。
【００１６】
また、上記構成によって図３の様に操作パネル３ｂの開放状態において、ヒンジ６がかご室内からアクセス可能となる為、操作パネル３ｂの位置調整や交換作業がかご室内から簡単かつ安全に行うことができる。
【００１７】
また、図２に示すように、枠体４ｂとかご壁９とを取付ボルト及びナット１０ｃで取付けたので、枠体４ｂとかご壁９との取付位置がずれない。
より具体的には、第１の側面板４１の開放端をかご壁９の背部まで延在させ、第１の側面板４１の開放端とかご壁９の背部において取付ボルト及びナット１０ｃにより枠体４ｂとかご壁９とを取付けている。
このため、操作パネル３ｂを閉じた際、操作パネル３ｂとかご壁９との位置関係がずれず、見栄えが良い。つまり、操作パネル３ｂとかご壁９との隙間が大きくならず、見栄えが良くなる。
【００１８】
また、枠体４ｂの第１の側面板４１の内側に枠体側ヒンジ６ａを取付けたので、エレベータかご操作盤の組立性がよい。
エレベータかご操作盤の組立時には、通常、枠体４ｂの背面板４３を下にして組み立てを行う。これは、背面板４３が広い面であるため、安定した作業ができるためである。
その際、第１の側面板４１の内側から枠体側ヒンジ６ａを取付けられるので、組立がし易い。
【００１９】
このように、本実施の形態では、エレベータかご室を形成する枠体と、その枠体に開閉可能となる様に取付けられる表面板を有するエレベータかご操作盤において、ヒンジ部分を枠体内部に設置していることを説明した。
より具体的には、１）枠体側ヒンジ６ａを断面コ字状に呈し、ピン穴と反対側の面を枠体の内側側面に取付けていること、２）表面板側ヒンジ６ｂを、枠体側ヒンジ６ａの少なくとも上下のどちらか一方に配置し、枠体側ヒンジ６ａの断面コ字状の内部側に回転するように配置して、操作パネルに取付けていること、３）表面板側ヒンジ６ｂの取付手段をかご室内側に配置していることを説明した。
【図面の簡単な説明】
【００２０】
【図１】実施の形態１に係るエレベータかご内出入口付近の斜視図。
【図２】実施の形態１に係るエレベータかご操作盤のＸ−Ｘ断面図。
【図３】実施の形態１に係るエレベータかご操作盤の矢視Ｙのヒンジ部分斜視図。
【符号の説明】
【００２１】
１  エレベータかご室、２  ドア、３  エレベータかご操作盤、３ａ  操作パネル、３ｂ  操作パネル、４ａ  収納枠体、４ｂ  収納枠体、５  ヒンジ、６  ヒンジ、６ａ  枠体側ヒンジ、６ｂ  表面板側ヒンジ、６ｃ  ヒンジピン、７  昇降路枠、８  昇降路壁、９  かご壁、１０ａ  取付ボルト及びナット、１０ｂ  取付ボルト及びナット、１０ｃ  取付ボルト及びナット、４１  第１の側面板、４２  第２の側面板、４３  背面板。
【図１】
2009280354.tif 000003
【図２】
2009280354.tif 000004
【図３】
2009280354.tif 000005